(57)【要約】【課題】粘土質地盤、粘性の強い地盤、硬い地盤であっても、狭い作業場所において、多くの工程を必要とせず、削り掘ることで細粒化された土砂を得ることができる削り掘りバケット及びこれを用いた土砂の細粒化方法を提供すること。【解決手段】バケット本体１を有する作業機の削り掘りバケット１０であって、バケット本体１の先端には、掘削用の爪２が形成され、バケット本体１の底部３には、掘削された土砂をバケット本体１の内側または外側に逃がす開孔４が形成され、バケット本体１の内部には、掘削された土砂を細粒化する内刃５１、５２ａ、５２ｂを形成した。【選択図】図１
2019085753.tif 000002
【特許請求の範囲】
【請求項１】
バケット本体を有する作業機の削り掘りバケットであって、
該バケット本体の先端には、掘削用の爪が形成され、
該バケット本体の底部には、掘削された土砂を該バケット本体の内側または外側に逃がす開孔が形成され、
該バケット本体の内部には、掘削された土砂を細粒化する内刃を形成したことを特徴とする削り掘りバケット。
【請求項２】
該内刃は、該バケット本体内において、縦方向、横方向または傾斜方向に延びる縦刃、横刃または傾斜刃であることを特徴とする請求項１記載の削り掘りバケット。
【請求項３】
該内刃は、略板状体の羽根体、あるいは定形断面または不定形断面の棒状体であることを特徴とする請求項１または２記載の削り掘りバケット。
【請求項４】
該バケット本体の底部の背から外側に向けて延びる横羽根状の外刃を、更に形成したものであることを特徴とする請求項１〜３のいずれか１項に記載の削り掘りバケット。
【請求項５】
該外刃は、略板状体であることを特徴とする請求項４記載の削り掘りバケット。
【請求項６】
該外刃は、該バケット本体の先端側に傾斜する傾斜羽根であることを特徴とする請求項４または５に記載の削り掘りバケット。
【請求項７】
請求項１〜３のいずれか１項に記載の削り掘りバケットを使用し、バケット本体を回転運動、前後運動または上下運動させて、該掘削用の爪及び該内刃で地盤を削り掘りする工程を有することを特徴とする土砂の細粒化方法。
【請求項８】
請求項４〜６のいずれか１項に記載の削り掘りバケットを使用し、バケット本体を回転運動、前後運動または上下運動させて、該掘削用の爪、該内刃及び該外刃で、地盤を削り掘りする工程を有することを特徴とする土砂の細粒化方法。
【発明の詳細な説明】
【技術分野】
【０００１】
本発明は、削り掘った土砂を更に細かく細粒化する削り掘りバスケット及び土砂の細粒化方法に関するものである。
【背景技術】
【０００２】
地盤にソイルセメントを混入攪拌する際、地盤（土粒子）の粗さが強度品質に大きく影響する。粘土質及び粘性に強い地盤の場合、特に細粒化が難しく、この工程を疎かにすると品質の著しい低下が起きる。また、砂質土等の粒子の細かい土であっても、経年の影響で硬化している地盤もあり、ソイルセメントの混入攪拌作業においては、地盤の細粒化を無視できないものとなっている。
【０００３】
一方、小規模の個人住宅などの建設予定地が軟弱地盤である場合、ベタ基礎で基礎下を改良する全面表層改良工法、全面表層改良工法の欠点を改善した筋掘り地盤改良等の浅層地盤改良工法が知られている（例えば特開２００４−６０２９０号公報）。全面表層改良工法は、混入するソイルセメント量が多く、粉塵飛散で近隣に迷惑を掛けたり、残土が発生し易いという欠点がある。また、セメント混じりのため、残土が産業廃棄物扱いとなり、捨て場などが社会問題となっている。筋掘り地盤改良工法は、ソイルセメントの全体使用量が少なくて済み、溝の中での攪拌作業ができるため、粉塵の飛散防止には効果がある。また、筋掘り地盤改良工法では、地盤の掘削に、油圧ショベル（バックホー）が使用される。
【０００４】
従来のバックホーによるバケット掘削は、掘ること及び掘り上げることが主目的である。このため、粘土質や高粘性土などの土壌の場合、バケット本体の容量の姿、形のまま掘り出され、地表面で潰す作業を行っていた。一般的には、バケット本体の背の部分を押し付け扁平にした上で、バケットの爪で裁断する方法である。
【０００５】
特開２００９−２１５７３５号公報には、様々な大きさの土砂や夾雑物をバケット本体にすくいながら、大きさに応じて土砂や夾雑物をバケット本体で篩い分けすることのできるスケルトンバケットにおいて、バケット本体は、底板に複数の六角形の開孔を同じ向きに揃えて前記開孔間の梁が同幅となるように並べたスケルトンバケットが開示されている。このスケルトンバケットによれば、簡易な転圧や均し作業をすることができる。
【０００６】
また、特開２００３−１１９８１７号公報には、複数の開口部を有するスケルトンバケットにおいて、第１の底面部(１２)に、第１の開口部(１３)を複数付設される第１のスケルトンバケット(１０)と、第２の底面部(２２)に、第１の開口部(１３)よりも大きい第２の開口部(２３)を複数付設される第２のスケルトンバケット(２０)とを備え、前記第１のスケルトンバケット(１０)の投入口(１)以外の部分に第２のスケルトンバケット(２０)が脱着可能な状態で連結されているスケルトンバケットが開示されている。このスケルトン型の有孔バケットによれば、スケルトンバケットですくい取った土砂、破砕物などをふるい分けることができる。
【先行技術文献】
【特許文献】
【０００７】
【特許文献１】特開２００４−６０２９０号公報
【特許文献２】特開２００９−２１５７３５号公報
【特許文献３】特開２００３−１１９８１７号公報
【発明の概要】
【発明が解決しようとする課題】
【０００８】
しかしながら、従来の筋掘り地盤改良工法における細粒化の作業は、溝の中で行う必要があり、多くの工程を必要としたり、作業場所が狭いなど、多くの制約があるという問題があった。また、バックホーによるバケットの爪で裁断する方法は、爪でピンポイントに土砂を挿すため、非効率な作業であった。また、特開２００９−２１５７３５号公報のスケルトンバケットは、簡易な転圧や均し作業に使用され、また、篩い分けはできるものの、積極的に細粒化するものではない。また、特開２００３−１１９８１７号公報のスケルトンバケットは、潰す工程や削る工程はなく、すくい取った土砂、破砕物などのふるい分けであるため、粘土質地盤の場合、細粒化が難しい。また、砂質土等の粒子の細かい土であっても、経年の影響で硬化している地盤の細粒化も困難である。従って、粘土質地盤や硬い地盤であっても、狭い作業場所において、多くの工程を必要とせず、削り掘った土砂の細粒化ができる削り掘りバケット及び新たな細粒化方法が望まれていた。
【０００９】
従って、本発明の目的は、粘土質地盤や硬い地盤であっても、狭い作業場所において、多くの工程を必要とせず、削り掘ることで細粒化された土砂をその場で得ることができる削り掘りバケット及びこれを用いた土砂の細粒化方法を提供することにある。
【課題を解決するための手段】
【００１０】
すなわち、本発明は、上記課題を解決したものであり、バケット本体を有する作業機の削り掘りバケットであって、該バケット本体の先端には、掘削用の爪が形成され、該バケット本体の底部には、掘削された土砂を該バケット本体の内側または外側に逃がす開孔が形成され、該バケット本体の内部には、掘削された土砂を細粒化する内刃を形成したことを特徴とする削り掘りバケットを提供するものである。
【００１１】
また、本発明は、該内刃は、該バケット本体内において、縦方向、横方向または傾斜方向に延びる縦刃、横刃または傾斜刃であることを特徴とする前記削り掘りバケットを提供するものである。
【００１２】
また、本発明は、該内刃は、略板状体の羽根体、あるいは定形断面または不定形断面の棒状体であることを特徴とする前記削り掘りバケットを提供するものである。
【００１３】
また、本発明は、該バケット本体の底部の背から外側に向けて延びる横羽根状の外刃を、更に形成したものであることを特徴とする前記削り掘りバケットを提供するものである。
【００１４】
また、本発明は、該外刃は、略板状体であることを特徴とする前記削り掘りバケットを提供するものである。
【００１５】
また、本発明は、該外刃は、該バケット本体の先端側に傾斜する傾斜羽根であることを特徴とする前記削り掘りバケットを提供するものである。
【００１６】
また、本発明は、前記削り掘りバケットを使用し、バケット本体を回転運動、前後運動または上下運動させて、該掘削用の爪及び該内刃で地盤を削り掘りする工程を有することを特徴とする土砂の細粒化方法を提供するものである。
【００１７】
また、本発明は、前記削り掘りバケットを使用し、バケット本体を回転運動、前後運動または上下運動させて、該掘削用の爪、該内刃及び該外刃で、地盤を削り掘りする工程を有することを特徴とする土砂の細粒化方法を提供するものである。
【発明の効果】
【００１８】
本発明によれば、粘土質地盤や硬い地盤であっても、狭い作業場所において、多くの工程を必要とせず、削り掘ることで細粒化された土砂を得ることができる削り掘りバケット及びこれを用いた細粒化方法を提供することができる。
【図面の簡単な説明】
【００１９】
【図１】本発明の第１の実施の形態におけるバケットの斜視図である。
【図２】図１のＸ線方向から見たバケットの平面図である。
【図３】図２のバケットの側面図である。
【図４】図１のバケットの使用方法を説明する図である。
【図５】図１のバケットの他の使用方法を説明する図である。
【図６】本発明の第２の実施の形態におけるバケットの斜視図である。
【図７】本発明の第３の実施の形態におけるバケットの斜視図である。
【図８】図７のバケットの掘削用の爪を正面から見た部分図である。
【図９】本発明の第４の実施の形態におけるバケットの斜視図である。
【図１０】図９のバケットの使用方法を説明する図である。
【図１１】筋掘り地盤改良工法が適用される地盤を上から見た簡略図である。
【図１２】バックホーを使用した筋掘り地盤改良工法を説明する図である。
【図１３】筋掘り地盤改良工法で形成された改良溝（筋）の断面図である。
【発明を実施するための形態】
【００２０】
本発明において、削り掘りバケット（以下、単に「バケット」と言う。）は、バケット本体を有する作業機のバケットであって、バケット本体の先端には、掘削用の爪が形成され、バケット本体の底部には、掘削された土砂をバケット本体の内側または外側に逃がす開孔が形成され、バケット本体の内部には、掘削された土砂を削る内刃を形成したものである。従来のバケットが掘ること及び掘った土砂を移動させるという運搬機能を有するものであるのに対して、本発明のバケットは、開口より小さい土砂を運搬する機能はなく、削り掘り機能を有するものである。
【００２１】
本発明において、バケット本体は、底部と左右側板とを有するものであれば、特に制限されない。底部の形状としては、直線断面を有するものまたは曲線断面を有するものなどが挙げられる。また、本発明のバケット本体は、底部の開孔（貫通孔）を有するもので、スケルトン構造のものである。底部の開孔の形状としては、特に制限されず、四角形、円形、楕円形、三角形、多角形及び不定形など種々の孔形状のものが挙げられる。また、底部の開孔の大きさとしては、最小開孔長さ又は最小開孔直径は３０ｍｍ、好ましくは５０ｍｍ、最大開孔長さ又は最大開孔直径は５００ｍｍ、好ましくは３００ｍｍ、特に１５０ｍｍである。このような開孔の形状であれば、掘削された土砂をバケット本体の内側または外側に篩い分けして逃がすことができる。篩い分けされ細粒化された土壌は、例えば筋掘りされた溝内に堆積し、ソイルセメントと混合される。
【００２２】
本発明において、内刃は、バケット本体１の内部に形成され、入ってきた土塊を細粒化する。細粒化とは、入ってきた土塊を砕く又は２つ又は３つ以上の小さな塊に分割することを言う。すなわち、内刃は、バケット本体１内において、縦方向、横方向または傾斜方向に延びる縦刃、横刃または傾斜刃である。「縦」方向は、バケットの先端である掘削用の爪を正面とした場合における前後方向を言い、「横」方向は、バケットの先端である掘削用の爪を正面とした場合における左右方向を言う。内刃の形状としては、略板状体の羽根体、あるいは定形断面または不定形断面の棒状体が挙げられる。
【００２３】
縦刃は、バケット内において、バケット本体の底部から上方に起立すると共に、縦方向に延びる略板状体の羽根体、及びバケット本体の底部に両端が固定され、縦方向に延びる定形断面または不定形断面の棒状体が挙げられる。縦刃は、バケット内に入った塊状体の土壌を縦切りにするものであり、羽根体や棒状体の１つ又は２つ以上で構成される。縦刃の中、略板状体の羽根体の底部からの最小高さとしては、底部の厚さの２倍以上、特に３倍以上が好ましい。
【００２４】
横刃は、バケット内において、バケット本体の底部から上方に起立すると共に、横方向に延びる略板状体の羽根体、及びバケット本体の左右側板にそれぞれ一端が固定され、横方向に延びる定形断面または不定形断面の棒状体が挙げられる。横刃は、バケット内に入った塊状体の土壌を横切りにするものであり、羽根体や棒状体の１つ又は２つ以上で構成される。
【００２５】
傾斜刃は、刃の向きが、縦刃及び横刃以外に向いたものであり、バケット内において、バケット本体の底部から上方に起立すると共に、傾斜方向に延びる略板状体の羽根体、及びバケット本体の左右側板にそれぞれ一端が固定され、傾斜方向に延びる定形断面または不定形断面の棒状体が挙げられる。傾斜刃は、バケット内に入った塊状体の土壌を縦切り及び横切りにするものであり、羽根体や棒状体の１つ又は２つ以上で構成される。
【００２６】
本発明において、バケット本体の底部の背から外側に向けて延びる横羽根状の外刃を、更に形成することができる。バケット本体の底部の外側に形成された外刃で、土壌は更に削り掘りされる。また、削り掘りされた土壌は、底部の開孔を通ってバケット本体内に入り、更に内刃で細粒化される。
【００２７】
外刃の形状としては、横方向に延びる略板状体の羽根が好ましく、特に、バケット本体の先端側に傾斜する傾斜羽根であることが好ましい。外刃をバケット本体の先端側に傾斜する傾斜羽根とすることで、土壌の削り掘り効果が高まる。また、傾斜羽根は、バケット本体の縦方向に複数、好ましくは２〜５枚、特に好ましくは２〜３枚設置することが好ましく、その際、傾斜羽根のバスケット本体からの突出長さは、隣接する反先端側の傾斜羽根の突出長さより小であることが好ましい。これにより、土壌の削り掘り残しがなくなる。また、外刃の傾斜羽根の傾斜内角度は、隣接する反先端側の傾斜羽根の傾斜内角度より小であることが好ましい。これにより、土壌の削り掘り効果が高まる。また、隣接する２枚の傾斜羽根の縦方向における基部側の離間長さは、先端側の離間長さより大であることが好ましい。これにより、２枚の傾斜羽根で削られ、傾斜羽根間の空間を通過した土壌の塊は、羽根の基部（根本）で詰まることはない。なお、２枚の傾斜羽根間に対応する底部は、開孔とすることが好ましい。
【００２８】
次に、本発明の第１の実施の形態におけるバケットを図１〜図３を参照して説明する。バケット１０は、バケット本体１を有し、バケット本体１は、底部（底板）３と左右側板６ａ、６ｂを有する。底部３は、前部が側面視で直線状の板状部３１であり、後部が側面視で曲線状の曲板部３２である。このようなバケット本体形状により、内刃を形成する空間を大きく採れると共に、上下運動の直角掘り、前後運動の水平掘り又は回転運動の回転掘りが可能となる。また、直線状の板状部３１の前端に掘削用の爪２が付設されている。
【００２９】
バケット１０において、開孔（貫通孔）４は、バケット本体１の底部３、特に前部の板状部３１に２列、２段の４箇所、後部の曲板部３２に１列、１段の２箇所、都合６箇所に形成されている。開孔４の形状は、長方形の貫通孔であり、２０ｍｍ〜５０ｍｍ程度の土壌の塊が通過する形状となっている。
【００３０】
バケット１０において、内刃５は、バケット本体１の横方向の中央において、底部３の前部の板状部３１から後部の曲板部３２に亘り縦方向に長く延びる縦刃５１を有する。縦刃５１は、バケット本体１の底部３から起立する板状体であり、縦方向の奥側に向けて底部３からの立ち上がり高さが漸次大きくなっている。すなわち、縦刃５１は奥側の方が高さが大である。このような縦刃５１であれば、掘削用の爪２で掘られ、バケット本体１内に入った土壌塊は、縦刃５１の先端部分の刃で細粒化され、細粒化されなかった大きな塊は、縦刃５１の後方部分の刃で砕かれる。
【００３１】
バケット１０において、内刃５は、バケット本体１の左右側板６ａ、６ｂ間に差渡しで且つ縦方向に離れて２箇所に付設される横刃５２ａ、５２ｂを有する。横刃５２ａ、５２ｂは縦刃５１の支持部材を兼ねる円形断面の丸棒部材であり、縦刃５１の前部と縦刃５１の後部で接続（交差）されている。横刃５２ａ、５２ｂは丸棒部材であるものの、バケット本体１内に入った土壌塊は、横刃５２ａ、５２ｂで砕かれ、細粒化される。
【００３２】
次に、バケット１０を使用した土砂の細粒化方法を図４及び図５を参照して説明する。すなわち、本例の土砂の細粒化方法は、バケット１０を使用し、バケット本体１を回転運動、前後運動または上下運動させて、掘削用の爪２及び内刃５で地盤を削り掘りする工程を有するものである。図４において、バケット１０は、先端の掘削用の爪２は地盤に対して、垂直に向いている。この状態でバケット１０を下降させる鉛直掘りを行う（符号Ｘ方向）。掘削用の爪２で削り掘りされた土壌は、バケット本体１内に入り込み、縦刃５１で縦切りにされ、横刃５２ａ、５２ｂで横切りにされ砕かれ細粒化される。特に、縦刃５１の前部の刃により細粒化され、縦刃５１の後部の刃により比較的大きな塊が切断され、切断された塊は、落下する際、横刃５２ａ、５２ｂにより更に砕かれ細粒化される。また、バケット１０は、鉛直掘りから回転掘りに変更することができる（符号Ｙ方向）。鉛直掘りから回転掘りに変更することで、掘削用の爪２で削り掘りされた土壌をすくい入れることができる。すくい入れられた土砂は、底部３の開孔４を通ってバケット本体１の外側に逃がされる。この際、開孔４の孔が篩い目となり、細粒化された土砂のみがバケット本体１の外側に逃げて落下する。一方、回転掘りを繰り返すことで、バケット本体１内の土壌の塊は更に細粒化されていく。このように、砕かれ又は細粒化された土砂は、例えば筋掘りの溝の底面に落下する。筋掘りの溝の底面に落下した土砂は、そのままソイルセメントと混合され、質の高い固化材を得ることができる。
【００３３】
図５において、バケット１０は、先端の掘削用の爪２は地盤（地表面）に対して、水平方向に向いている。この状態でバケット１０を前進させる水平掘りを行う（符号Ｚ方向）。掘削用の爪２で削り掘りされた土壌は、バケット本体１内に入り込み、縦刃５１で縦切りにされ、横刃５２ａ、５２ｂで横切りにされ砕かれ細粒化する。すくい入れられた土砂は、底部３の開孔４を通ってバケット本体１の外側に逃がされる。この際、開孔４の孔が篩い目となり、細粒化された土砂のみがバケット本体１の外側に逃げて落下する。第１の実施の形態におけるバケット及び土砂の細粒化方法によれば、粘土質地盤や硬い地盤であっても、削り掘ることで細粒化された土砂をその場で得ることができる。
【００３４】
次に、本発明の第２の実施の形態におけるバケットを図６を参照して説明する。図６のバケットにおいて、図１〜図３のバケットと同一構成要素には同一符号を付して、その説明を省略し、異なる点について主に説明する。すなわち、図６のバケット１０ａにおいて、図１〜図３のバケット１０と異なる点は、縦刃５１の縦方向長さを小さくした点である。このようなバケット１０ａにおいても、粉砕や細粒化の効率は少し落ちる以外は、図１〜図３のバケットと同様の効果を奏する。
【００３５】
次に、本発明の第３の実施の形態におけるバケットを図７を参照して説明する。図７のバケットにおいて、図１〜図３のバケットと同一構成要素には同一符号を付して、その説明を省略し、異なる点について主に説明する。すなわち、図７のバケット１０ｂにおいて、図１〜図３のバケット１０と異なる点は、縦刃５１を横並びで２つ形成した点及び掘削用の爪の形状である。掘削用の爪２ａは、平刃２３ａの上面に起立する上刃２１ａと、平刃２３ａの下面に下方に延びる下刃２２ａをそれぞれ有する。上刃２１ａ及び下刃２２ａの側面視形状は、特に限定されず、本例では三角形状である。掘削用の爪２ａは、上刃２１ａ及び下刃２２ａを有することで、平刃２３ａと直交する方向に掘削することが可能となる。このようなバケット１０ｂにおいても、縦刃５１ａ、５１ｂの粉砕や細粒化の効率が更に高くなる以外は、図１〜図３のバケット１０と同様の効果を奏する。
【００３６】
次に、本発明の第４の実施の形態におけるバケット及び土砂の細粒化方法を図８及び図９を参照して説明する。図８及び図９のバケットにおいて、図１〜図３のバケットと同一構成要素には同一符号を付して、その説明を省略し、異なる点について主に説明する。すなわち、図８及び図９のバケット１０ｃにおいて、図１〜図３のバケット１０と異なる点は、外刃７を形成した点である。すなわち、図８及び図９のバケット１０ｃにおいて、外刃７は、横方向に延出し、且つバケット本体１の先端側に傾斜する傾斜羽根をバケット本体１の縦方向に、３枚７１ａ、７１ｂ、７１ｃ設置したものである。傾斜羽根のバスケット本体１からの突出長さは、隣接する反先端側の傾斜羽根の突出長さより小である。すなわち、傾斜羽根７１ｂのバスケット本体１からの突出長さは、隣接する反先端側の傾斜羽根７１ａの突出長さより小であり、傾斜羽根７１ｃのバスケット本体１からの突出長さは、隣接する反先端側の傾斜羽根７１ｂの突出長さより小である。これにより、土壌の削り掘り残しがなくなる。また、外刃の傾斜羽根の傾斜内角度は、隣接する反先端側の傾斜羽根の傾斜内角度より小である。すなわち、外刃７１ｂの傾斜羽根の傾斜内角度は、隣接する反先端側の傾斜羽根７１ａの傾斜内角度より小であり、外刃７１ｃの傾斜羽根の傾斜内角度は、隣接する反先端側の傾斜羽根７１ｂの傾斜内角度より小である。これにより、土壌の削り掘り効果が高まる
【００３７】
図８及び図９のバケット１０ｃを使用した土砂の細粒化方法は、バケット本体１を回転運動、前後運動または上下運動させて、掘削用の爪２、内刃５及び外刃７で、地盤を削り掘りする工程を有するものである。内刃５による細粒化の作用は、第１の実施の形態例と同様であり、説明を省略する。外刃７を有するバケット１０ｃは、垂直掘りに特に顕著な削り掘り効果を発揮する。すなわち、垂直掘りにおいて、外刃７は、掘削用の爪１で削れなかった起立する地盤の腹部を掻き取る。特に、３枚刃の中、先端側の先端刃７１ｃで削れなかった土壌を中間刃７１ｂで削り、更に削れなかった土壌を後刃７１ａで削る。このため、削り掘り残しがなくなる。そして、削り掘りされた土壌は、地表面に落下する他、一部の土砂は、底部３の開孔４からバケット本体１内に入りこむ。この際、底部３の開孔４は、篩い目の効果があり、開孔４より小の大きさの土砂がバケット本体１に入り込み、更に内刃５により細粒化される。
【００３８】
次に、本発明のバケットを有するバックホー２０で、一戸建て用軟弱地盤を筋掘り工法で基礎地盤を造成する方法について図１０〜図１２を参照して説明する。図１０は、平面視が四角形の筋２１を示す。筋２１は四角形断面の溝であり、この溝に細粒化された土砂とソイルセメントとが混合され、四角枠状の固化杭２２を得るものである（図１２参照）。図１１に示すように、本発明のバケット１０を有するバックホー２０を使用し、垂直掘り、回転掘り、水平掘りを繰り返し、溝内の土壌を細粒化していく。本発明のバケット１０による細粒化方法は、前述の通りであり、溝内には、細粒化された土砂が堆積していく。
【００３９】
次に、所定量のソイルセメントが溝内に投入され、バックホー２０のバケット１０で混合攪拌される。バケット本体１には、開孔４が形成されており、土砂とソイルセメントを混合する際、縦刃５１と横刃５２の内刃が攪拌を促進し、また、土砂をすくい上げる際、開孔４から混合物が落下するため、土砂とソイルセメントの攪拌を一層、促進する。また、溝の中での攪拌作業ができるため、粉塵の飛散防止となる。
【００４０】
本発明において、削り掘りした土砂の細粒化の作業は、地盤にソイルセメントを混入攪拌する工法だけの問題ではなく、多くの場合、細粒化して掘り出すことの利点は多い。例えば、細粒化された土砂は、空隙が少なく、ダンプ車への積載量を多くでき、且つ崩れ難い山とすることができる。また、細粒化された土砂は、埋め戻す場合や盛土の場合、空隙の少なく、且つ後の地盤沈下に強い良好な地盤となる。また、不陸調整の場合、空隙が少なく作業性がよくなる。また、平坦に均す場合、空隙が少なく、精度よく水平値が取れる。また、災害時の土嚢等の袋詰めの作業においては、空隙が少なく且つ詰めた後の収縮が小さく、均一の袋詰めができる。
【００４１】
本発明は、上記実施の形態例に限定されず、種々の変形を採ることができる。図１〜図３のバケットにおける横刃５２ａ、５２ｂは、丸棒部材に限定されず、四角断面の棒部材であってもよく、板状の長尺部材であってもよい。図１〜図３のバケットにおける開孔４は、板状体にくり抜き状で形成されるものに限定されず、バケット本体１の底部３を桟部材で格子構造とすることで得られる隙間であってもよい。また、本発明の内刃５及び外刃７において、羽根の端面を鋸刃状にしてもよい。また、図８及び図９のバケット１０ｃの外刃７の設置数は３つに限定されず、２つであってもよい。また、図７のバケット１０ｂにおいて、掘削用の刃は、上刃及び下刃のない図１のような刃であってもよい。また、図１の掘削用の刃に、上刃と下刃を設けてもよい。
【産業上の利用可能性】
【００４２】
本発明のバケットは、従来の堀上げや運搬の機能を有するものではなく、削り掘ってその場で細粒化する機構を有する。このため、現位置で鉛直掘り、回転掘り又は水平掘りをするだけで、原地盤の土壌を細粒化できる。このため、例えば、個人住宅などの建設予定地である軟弱地盤に筋掘り工法に使用した場合、筋掘りの溝内において削りぼり工程から混合攪拌工程までができ、作業効率が高くなる。
【符号の説明】
【００４３】
１      バケット本体
２      掘削用の爪
３      底部
４      開孔
５      内刃
５１    縦刃（内刃）
５２ａ、５２ｂ  横刃（内刃）
６ａ    左側板
６ｂ    右側板
７      外刃
１０    バケット
２０    バックホー 
【図１】
2019085753.tif 000003
【図２】
2019085753.tif 000004
【図３】
2019085753.tif 000005
【図４】
2019085753.tif 000006
【図５】
2019085753.tif 000007
【図６】
2019085753.tif 000008
【図７】
2019085753.tif 000009
【図８】
2019085753.tif 000010
【図９】
2019085753.tif 000011
【図１０】
2019085753.tif 000012
【図１１】
2019085753.tif 000013
【図１２】
2019085753.tif 000014
【図１３】
2019085753.tif 000015